(57)【要約】【課題】保冷装置を有さない通常の箱又は容器を一定冷温に保冷する。【解決手段】ドライアイス等の蓄冷材から得られた冷気を排出する冷気排出器を保冷装置を有さない通常の箱又は容器に入れて、この冷気でこの通常の箱又は容器の内部を一定に保つ。【選択図】図４
2005030674.tif 000002
【特許請求の範囲】
【請求項１】
蓄冷材を出し入れするための蓋を有する断熱容器にシャッターとファンとを有する冷気排出口を設けて、蓄冷材から得られた冷気を排出して雰囲気音度を冷温に保つ冷気排出器であって、雰囲気温度を検出する手段と、一定温度に達した際にシャッター及びファンを操作してこの断熱容器内からの冷気の排出と停止を制御する手段とを有してなる冷気排出器
【発明の詳細な説明】
【０００１】
【産業上の利用分野】本発明はドライアイス等の蓄冷材を冷熱源とする冷気発生容器に関するものであり、本発明を容器に入れて、この容器の内部を一定冷温に保つものである。
【０００２】
【従来の技術】ドライアイス等の蓄冷材を冷熱源として使用して断熱容器内を冷温にする従来の断熱容器の保冷方式に於いては、断熱容器内に蓄冷材を入れる空間を設け、この空間から冷機を排出し、温度センサーとファンを使ってこの断熱容器内を一定低温に保つものや、断熱容器内に配管された銅管コイル内に、液化ガス等の冷媒を噴霧して、この断熱容器内を低温に保つもの等があった。
【０００３】これら従来の方式では、断熱容器内部に保冷のための装置が固定的に取り付けられていた。
【０００４】たとえば、特開平１１−３４４２７７では、保冷容器内に冷熱源であるドライアイスを入れる収納部と、ファンを内蔵した小部屋とを有し、これれらとセンサーを使って一定冷温を保つのもであるが、保冷容器の中に、冷温の発生源、一定温度維持のための機構が固定的に装置されているのである。
【０００５】つまり従来に於いては、一つの保冷容器にはこの保冷容器の体積に応じた、一つの保冷装置や保冷機構が固定的に取り付けらているので、汎用性に欠け製造コストが高いと云う欠点があった。
【０００６】例えばマグロ用に作られた大型保冷容器では、大きなドライアイスを入れる蓄冷材室と大型ファンを有する保冷装置を必要とするし、ひらめ用に作られた小型保冷容器では、小さなドライアイスを入れる蓄冷材室と小型ファンを有する保冷装置を必要とする。
【０００７】
【本発明が解決する課題】本発明に於いては、冷温維持のための装置を持たない「単なる容器、または単なる断熱された箱」の中に、本発明たる冷気排出器を入れて、この「単なる容器、または単なる断熱された箱」の中を一定冷温を保つ保冷容器として使用する事を可能にする事を目的としたものである。
【０００８】
【課題を解決する手段】ドライアイスを出し入れする事が出来る様に、真空容器であるいわゆる魔法瓶、又は発砲スチロール等の断熱容器に開閉蓋を設けると共に、ドライアイスからの冷気を排出すためのファンと、この噴出しを停止するためのシャッターとを介して冷気排出口を設ける。
【０００９】この様な構造の冷気排出器を被保冷物を入れた被保冷容器の上部に取り付けて、この中の温度を温度センサーで検出し、本発明容器に内臓した制御回路またはマイコン等で、シャッターとファンを操作して冷気の排出をコントロールし、一定冷温に保つ。
【００１０】この様にして、保冷装置を有しない普通の容器であっても、この普通の容器に本発明を取り付けて、冷気を排出する事により、一定冷温を保つ保冷容器が完成するのである。
【００１１】
【実施例】以下図を使って、普通の容器であるところの保冷箱３００の蓋３１０に本発明を取り付けて、蓄冷材にドライアイス５０を使用して、この保冷箱３００内の温度を−５°Ｃに均一に保つ実施例について説明する。
【００１２】本発明の筐体であるところの発泡スチロール製の本体容器１００の上部は蝶番１０５を介して開閉可能にな開閉蓋１１０となっていて、ドライアイス５０の出し入れが容易に行える。
【００１３】この本体容器１００の底部中央の凹部１５０にはシロッコファン２００およびモーター２０５が設置されていて、ドライアイス５０の昇華ガスであるところの炭酸ガスの冷気は、シャッター２１１〜２１４を介し排出路２２１〜２２４を経由して各側面の排出口２３１〜２３４から本体容器１００の外部に、即ち箱保冷用３００の内部に排出される。この排出冷気により保冷箱３００内部は温度が低下するのである。
【００１４】冷気が保冷箱３００の隅々まで行き渡る様に、東西南北の四隅に温度センサー２４１〜２４４を、排出口２３１〜２３４に対応してこれらの直下に設置する。そしてシャッター２１１〜２１４の開閉とモーター２０５の起動、停止を制御する。
【００１５】いま、ドライアイス５０を入れた本発明を保冷箱３００の蓋部３１０に取り付けて保冷を開始したとする。当初、保冷箱３００の内部の温度は外気温度とほぼ同じであり、−５°Ｃ度で作動する様セットされた温度センサー２４１〜２４４は作動せず、すべてのシャッター２１１〜２１４は開き、シロッコファン２００は回転し、全ての排出口２３１〜２３４から保冷箱３００の隅々に冷気を排出し続ける。
【００１６】そして、西側部分が−５°Ｃ度になると、西側温度センサー２４１が作動して西側シャッター２３１を閉鎖し、西側排出口２３１からの冷気排出を停止させる。
【００１７】南側部分が−５°Ｃ度になると、南側温度センサー２４２が作動して南側シャッター２３２を閉鎖し、南側排出口２３２からの冷気排出を停止させる。
【００１８】東側部分が−５°Ｃ度になると、東温度センサー２４３が作動して東側シャッター２３３を閉鎖し、東側排出口２３３からの冷気排出を停止させる。
【００１９】北側部分が−５°Ｃ度になると、北側温度センサー２４４が作動して北側シャッター２３４を閉鎖し、北側排出口２３４からの冷気排出を停止させる。
【００２０】この様にして、東西南北の全ての部分が−５°Ｃ度になると、モーター２０５の電源を切断してシロッコファ２００ンの回転を停止させる。
【００２１】上記した経緯で本発明から冷気が保冷箱３００内の隅々まで行き渡り、−５°Ｃの冷温になるのである。
【００２２】そして、保冷箱３００の内部温度は外気温により−５°Ｃより温度が上昇すると、東西南北いずれかの温度センサーが作動し、モーター２０５が起動してシロッコファンを回転させると共に、これらの温度センサーに対応した部分のシャッターを開き、冷気の排出を再開し、−５°Ｃの一定冷温を保つのである。
【００２３】もし外気温度が低く、保冷箱３００内の温度が上昇せず、閉じたシャッターから漏れ出した冷気により−５°Ｃ度の設定温度より更に温度低下が継続する場合は、保冷箱３００の外気給排弁３５０を開閉して外気を取り入れて−５°Ｃ度の設定温度を保つ。
【００２４】この外気給排弁３１０は、冷気の源であるところのドライアイス２００の昇華ガスたる炭酸ガスが、この保冷箱３００の内部に充満して内圧が上昇し破壊する事が無いようにするための安全弁としての役割をも果たす。
【００２５】上記の説明に於いては、東西南北の四隅に冷気を噴出して、均一な温度分布にするため、本発明の冷気噴出口は４個あるが、例えばひらめ一匹用の比較的小さな保冷箱では冷気噴出口は１個でもよい。
【００２６】また、本体容器は説明では発砲スチロールであるが、現実的には、この発砲スチロールをアルミ板で外張りする等して耐久性を持たせた本体容器にする事が考えられる。  更に、より長時間の保冷期間を求めるならば本体容器を魔法瓶等の真空容器にして、この蓋部分に冷機噴出しのための各装置を取り付けた本発明も考えられる。
【発明の効果】冷温を維持するための装置である本発明と、保冷箱とが別々であるので、従来の様に被保冷物の形状に合わせて、保冷容器の体積と保冷装置の能力を仕様を決定して保冷箱全体を作る必要がなく、保冷箱の容積に応じて、本発明の数量を増減するだけで済むので、非常に経済的である
【図面の簡単な説明】
【図１】斜視図
【図２】断面図
【図３】蓋を開けた上面図
【図４】本発明を保冷箱の蓋部に取り付けた図
【符号の説明】
５０    ドライアイス
１００  本体容器
１０１  西側温度センサーコネクタ
１０２  南側温度センサーコネクタ
１０３  東側温度センサーコネクタ
１１０  開閉蓋
１３０  蝶番
１５０    凹部
２００  シロッコファン
２０５  モーター
２１１  西側シャッター
２１２    南側シャッター
２１３    東側シャッター
２１４  北側シャッター
２２１  西側排出路
２２２  南側排出路
２２３  東側排出路
２２４  北側排出路
２３１    西側排出口
２３２    南側排出口
２３３    東側排出口
２３４  北側排出口
２４１  西側温度センサー
２４２    南側温度センサー
２４３    東側温度センサー
２４４    北側温度センサー
３００  保冷箱
３１０    保冷箱蓋部
３５０  外気給排弁
Ｆ      被保冷物
【図１】
2005030674.tif 000003
【図２】
2005030674.tif 000004
【図３】
2005030674.tif 000005
【図４】
2005030674.tif 000006